(57)【要約】  通話通信ユニット１２０の通話通信動作が開始されると、制御部１９５Ａが、出力選択部２１１に対して、通話通信ユニット１２０からの通話受信音声信号ＡＲＳを加算部２１３へ供給する設定を、出力指定ＳＮＣにより行うとともに、加算部２１３へ、加算結果の出力設定を加算制御指令ＡＤＣにより行う。かかる設定の結果、コンテンツ音源ユニット１１０からコンテンツ音声信号ＡＣＳに対応する音声が、全員を対象として、スピーカユニット１３０から再生出力されるとともに、反転部２１２によりコンテンツ音声信号ＡＣＳが位相反転された信号と、出力選択部２１１を介した通話受信音声信号ＡＲＳとの加算結果に基づく超音波が、パラメトリックスピーカユニット１４０から、通話者に向けて出力される。この結果、音場空間内に滞在する利用者のそれぞれにとって適切な音声が提供される。
2010109614.tif 000002
【特許請求の範囲】
【請求項１】
複数の聴取者を対象とする第１のスピーカと；
前記複数の聴取者の中の特定の聴取者を対象とする強指向性の第２のスピーカと；
前記第１のスピーカへ向けて音声信号を出力する第１の信号源と；
前記第１の信号源からの音声信号を位相反転した信号と、前記第１の信号源からの音声信号とは内容が異なる第２の信号源からの音声信号とを加算し、前記第２のスピーカへ向けて出力する第１の加算手段と；
を備えることを特徴とする音声信号処理装置。
【請求項２】
前記第２の信号源からの音声信号を、前記第１の加算手段及び前記第１のスピーカのいずれかに向けて選択的に出力する選択手段と；
前記第１の信号源からの音声信号と、前記選択手段からの信号とを加算し、前記第１のスピーカへ向けて出力する第２の加算手段と；を更に備えるとともに、
前記第１の信号源は、音量調整手段を備え、
前記選択手段からの前記第２の信号源からの音声信号の出力先として、前記第２の加算手段が選択された場合に、前記音量調整手段が、前記第１の信号源からの音声信号の信号レベルを低減させる調整を行う、
ことを特徴とする請求項１に記載の音声信号処理装置。
【請求項３】
前記特定の聴取者は車両の運転者であり、
前記第２の信号源からの音声信号は通話通信手段からの音声信号である、
ことを特徴とする請求項２に記載の音声信号処理装置。
【請求項４】
前記特定の聴取者は車両の運転者であり、
前記第２の信号源からの音声信号はナビゲーション手段からのガイド音声信号である、
ことを特徴とする請求項２に記載の音声信号処理装置。
【請求項５】
前記第２のスピーカはパラメトリックスピーカである、ことを特徴とする請求項３又は４に記載の音声信号処理装置。
【請求項６】
前記第２の信号源における音声信号発生のための動作状態を検出する検出手段と；
前記第２の信号源が前記音声信号発生のための動作状態にはないと判断される場合に、前記パラメトリックスピーカからの出力信号レベルを制限する制御手段と；
を更に備えることを特徴とする請求項５記載に音声信号処理装置。
【請求項７】
複数の聴取者を対象とする第１のスピーカと；前記複数の聴取者の中の特定の聴取者を対象とする強指向性の第２のスピーカと；前記第１のスピーカへ向けて音声信号を出力する第１の信号源と；を備える音声信号処理装置において使用される音声信号処理方法であって、
前記第１の信号源からの音声信号を位相反転する位相反転工程と；
前記位相反転された信号と、前記第１の信号源からの音声信号とは内容が異なる第２の信号源からの音声信号とを加算し、前記第２のスピーカへ向けて出力する加算工程と；
を備えることを特徴とする音声信号処理方法。
【発明の詳細な説明】
【技術分野】
【０００１】
本発明は、音声信号処理装置及び音声信号処理方法に関する。
【背景技術】
【０００２】
従来から、車両等の移動体の多くに、音声コンテンツを再生し、スピーカから再生音声を出力する音響装置が搭載されている。これにより、移動体内空間においても、コンテンツ再生音声を楽しむことができるようになっている。【０００３】
また、携帯電話等の移動通信端末装置による通話通信は、日常生活を行う上で、欠かせないものとなってきている。このため、移動通信端末装置による通話通信を、車両の運転中にも、運転操作に支障をきたさずに行うことが可能な、いわゆるハンズフリー通話が注目されている。【０００４】
上記の音声コンテンツ再生とハンズフリー通話とは、互いに独立な、移動体内空間への音声出力を行うことになる。このため、コンテンツ再生音声の出力と、ハンズフリー通話における受信音声の出力とを合理的に調整する技術が提案されている。こうした技術の一つとして、通話通信中には、コンテンツ再生音声をミュートする技術が提案されている（特許文献１参照：以下、「従来例１」と呼ぶ）。また、こうした技術の他の一つとして、通話通信中には、コンテンツ再生音声及びハンズフリー通話における受信音声の出力音量を調整したうえで合成して再生出力する技術が知られている（特許文献２参照：以下、「従来例２」と呼ぶ）。【０００５】
さらに、音声コンテンツ再生とハンズフリー通話との同時動作に関する技術ではないが、全方位スピーカから不特定対象物へ音声を発信しつつ、パラメトリックスピーカから特定対象物へ音声を発信する技術が提案されている（特許文献３参照：以下、「従来例３」と呼ぶ）。【０００６】
【特許文献１】特開平１０−３２０８９２号公報
【特許文献２】特開２００３−２５８９８８号公報
【特許文献３】ＷＯ２００５／０７６６６１号公報
【発明の開示】
【発明が解決しようとする課題】
【０００７】
上述した従来例１の技術では、通話通信中には、コンテンツ再生音声のミュート処理を行う。このため、移動体に搭乗している通話者にとって通話環境の不都合はないが、移動体に同乗者がいる場合には、同乗者にとっては、コンテンツ再生音声が途切れることになる。この結果、同乗者に対して、違和感や不快感を発生させることになり、良好な音声コンテンツの聴取環境を提供できるとはいい難かった。【０００８】
また、上述した従来例２の技術では、通話通信中には、コンテンツ再生音声とハンズフリー通話における受信音声との合成音声が再生出力される。このため、移動体に搭乗している通話者にとっては、コンテンツ再生音声が当該受信音声に対するノイズ音声となるとともに、移動体の同乗者にとっては、当該受信音声がコンテンツ再生音声に対するノイズ音声となり得る。また、通話者にとって他者に知られたくない受信音声の場合にも、同乗者に知られてしまうことになる。この結果、通話者にとって良好な通話環境を提供できるとはいい難かったし、また、同乗者にとって良好な音声コンテンツの聴取環境を提供できるとはいい難かった。【０００９】
上記の従来例３の技術を、音声コンテンツ再生とハンズフリー通話との同時動作に適用したとしても、全方位スピーカから発信される音声は、パラメトリックスピーカの音声の発信対象である通話者にも、通話時以外の期間と同様な音量で聞こえることになる。この結果、通話者にとっては、コンテンツ再生音声が当該受信音声に対するノイズ音声となり、通話者にとって良好な通話環境を提供できるとはいい難かった。【００１０】
このため、音声コンテンツ再生とハンズフリー通話との同時動作時において、移動体に搭乗している通話者にとって良好な通話環境を提供できるとともに、同乗者にとって良好な音声コンテンツの聴取環境を提供できる技術が待望されている。かかる要請に応えることが、本発明が解決すべき課題の一つとして挙げられる。【００１１】
本発明は、上記の事情を鑑みてなされたものであり、所定の音場空間内に滞在する利用者のそれぞれにとって適切な音声を提供することができる音声信号処理装置及び音声信号処理方法を提供することを目的とする。
【課題を解決するための手段】
【００１２】
本発明は、第１の観点からすると、複数の聴取者を対象とする第１のスピーカと；前記複数の聴取者の中の特定の聴取者を対象とする強指向性の第２のスピーカと；前記第１のスピーカへ向けて音声信号を出力する第１の信号源と；前記第１の信号源からの音声信号を位相反転した信号と、前記第１の信号源からの音声信号とは内容が異なる第２の信号源からの音声信号とを加算し、前記第２のスピーカへ向けて出力する第１の加算手段と；を備えることを特徴とする音声信号処理装置である。【００１３】
本発明は、第２の観点からすると、複数の聴取者を対象とする第１のスピーカと；前記複数の聴取者の中の特定の聴取者を対象とする強指向性の第２のスピーカと；前記第１のスピーカへ向けて音声信号を出力する第１の信号源と；を備える音声信号処理装置において使用される音声信号処理方法であって、前記第１の信号源からの音声信号を位相反転する位相反転工程と；前記位相反転された信号と、前記第１の信号源からの音声信号とは内容が異なる第２の信号源からの音声信号とを加算し、前記第２のスピーカへ向けて出力する加算工程と；を備えることを特徴とする音声信号処理方法である。
【図面の簡単な説明】
【００１４】
【図１】本発明の第１実施形態に係る音声信号処理装置の構成を概略的に示すブロック図である。
【図２】図１のスピーカ出力音声処理部の構成を示すブロック図である。
【図３】図２の超音波信号生成部の構成を示すブロック図である。
【図４】図１の通話送信音声処理部の構成を示すブロック図である。
【図５】本発明の第２実施形態に係る音声信号処理装置の構成を概略的に示すブロック図である。
【発明を実施するための最良の形態】
【００１５】
以下、本発明の実施形態を、車両に搭載される音声信号処理装置を例示して、添付図面を参照して説明する。なお、図面においては、同一又は同等の要素には同一の符号を付し、重複する説明を省略する。【００１６】
［第１実施形態］
まず、本発明の第１実施形態を、図１〜図４を参照して説明する。【００１７】
＜構成＞
図１には、本発明の第１実施形態の音声信号処理装置１００Ａの構成が概略的に示されている。この図１に示されるように、音声信号処理装置１００Ａは、第１の信号源としてのコンテンツ音源ユニット１１０と、第２の信号源である通話通信手段としての通話通信ユニット１２０とを備えている。また、音声信号処理装置１００Ａは、第１のスピーカとしてのスピーカユニット１３０と、第２のスピーカとしてのパラメトリックスピーカユニット１４０とを備えている。【００１８】
さらに、音声信号処理装置１００Ａは、収音ユニット１５０と、操作入力ユニット１７０とを備えている。また、音声信号処理装置１００Ａは、処理ユニット１９０Ａを備えている。【００１９】
上記のコンテンツ音源ユニット１１０は、音声コンテンツに基づいて、コンテンツ音声信号ＡＣＳを生成する。例えば、音声信号処理装置１００Ａが、コンパクトディスク（ＣＤ）等の記録媒体に記録された音声コンテンツを再生する装置である場合には、コンテンツ音源ユニット１１０は、当該記録媒体から音声コンテンツを読み取る読取手段と、当該読取手段による読取結果からコンテンツ音声信号ＡＣＳを抽出する抽出手段とを備えることになる。また、音声信号処理装置１００Ａが、放送波の受信により取得した音声コンテンツを再生する装置である場合には、コンテンツ音源ユニット１１０は、放送波の受信結果から音声コンテンツを抽出するコンテンツ抽出手段と、当該コンテンツ抽出手段による抽出結果からコンテンツ音声信号ＡＣＳを抽出する音声信号抽出手段とを備えることになる。【００２０】
コンテンツ音源ユニット１１０は、音量調整手段としての音量調整部１１５を備えている。この音量調整部１１５は、処理ユニット１９０Ａからの音量調整指令ＡＶＣに基づいて、コンテンツ音声信号ＡＣＳの信号レベルを調整する。音量調整部１１５により信号レベルが調整されたコンテンツ音声信号ＡＣＳは、処理ユニット１９０Ａへ送られる。【００２１】
上記の通話通信ユニット１２０は、通信網を介して、通話先の通話装置との間で通信を行う。この通話通信ユニット１２０は、本第１実施形態では、携帯電話網を利用した通話通信を行う、携帯電話モジュールとして構成されている。【００２２】
通話通信ユニット１２０は、処理ユニット１９０Ａからの通話制御指令ＣＭＣに従って、通話処理動作を開始したり、終了したりする。具体的には、例えば、通話通信ユニット１２０は、通話制御指令ＣＭＣとして、電話番号を指定した発呼指令を受けると、発呼処理を開始する。また、通話通信ユニット１２０は、通話制御指令ＣＭＣとして、着呼に伴うオフフック指令を受けると、オフフック処理を行う。さらに、通話通信ユニット１２０は、通話制御指令ＣＭＣとして、通信切断指令を受けると、オンフック処理を行って、通話処理動作を終了する。【００２３】
また、通話通信ユニット１２０は、通話処理動作状態を、動作報告ＯＭＤとして処理ユニット１９０Ａへ報告する。具体的には、例えば、着信音を検出すると、通話通信ユニット１２０は、着呼した旨を、動作報告ＯＭＤとして、処理ユニット１９０Ａへ報告する。また、オンフック処理を行うと、通話通信ユニット１２０は、通信切断した旨を、動作報告ＯＭＤとして、処理ユニット１９０Ａへ報告する。こうした動作報告ＯＭＤにより、処理ユニット１９０Ａは、通話通信ユニット１２０の動作状態を知ることができるようになっている。【００２４】
通話通信ユニット１２０は、通話動作中における受信音声を、通話受信音声信号ＡＲＳとして、処理ユニット１９０Ａへ送る。また、通話通信ユニット１２０は、通話動作中に処理ユニット１９０Ａから通話送信音声信号ＡＴＳを受けると、送信音声として通信網へ送出する。【００２５】
上記のスピーカユニット１３０は、広角スピーカを備えて構成されている。このスピーカユニット１３０は、処理ユニット１９０Ａからの音声信号ＡＯＦに基づいて、車室内にいる全員を対象とした音声の再生出力を行う。【００２６】
上記のパラメトリックスピーカユニット１４０は、超音波トランスデューサアレイを備えて構成されている。このパラメトリックスピーカユニット１４０は、処理ユニット１９０Ａからの超音波信号ＡＯＳに基づいて、車室内の運転席に着座する運転者を対象とした音声の再生出力を行う。【００２７】
上記の収音ユニット１５０は、本第１実施形態では、車室内の運転席前方の配置されたマイクロフォンを備えて構成されている。このマイクロフォンによる収音結果は、収音音声信号ＡＡＳとして、処理ユニット１９０Ａへ送られる。【００２８】
上記の操作入力ユニット１７０は、音声信号処理装置１００Ａの本体部に設けられたキー部、及び／又はキー部を備えるリモート入力装置等により構成される。ここで、本体部に設けられたキー部としては、表示デバイスに設けられたタッチパネルを用いることができる。【００２９】
この操作入力ユニット１７０の操作により、音声信号処理装置１００Ａの動作内容の設定が行われる。操作入力ユニット１７０への入力内容は、操作入力データＩＰＤとして、操作入力ユニット１７０から処理ユニット１９０Ａへ送られる。【００３０】
次に、上記の処理ユニット１９０Ａについて説明する。この処理ユニット１９０Ａは、スピーカ出力音声処理部１９１と、通話送信音声処理部１９２と、検出手段としての制御部１９５Ａとを備えている。【００３１】
上記のスピーカ出力音声処理部１９１は、スピーカユニット１３０に供給される音声信号ＡＯＦ及びパラメトリックスピーカユニット１４０に供給される超音波信号ＡＯＳを生成する。かかる機能を有するスピーカ出力音声処理部１９１は、図２に示されるように、選択手段としての出力選択部２１１と、第１の加算手段の一部としての反転部２１２と、第１の加算手段の一部及び制限手段としての加算部２１３と、超音波信号生成部２１４とを備えている。また、スピーカ出力音声処理部１９１は、第２の加算手段としての加算部２１６と、パワー増幅部２１７とを備えている。【００３２】
上記の出力選択部２１１は、通話通信ユニット１２０からの通話受信音声信号ＡＲＳを受ける。そして、出力選択部２１１は、制御部１９５Ａからの出力指定ＳＮＣに従って、通話受信音声信号ＡＲＳを、加算部２１３へ供給する第１出力信号及び加算部２１６へ供給する第２出力信号のいずれかとして選択的に出力する。なお、出力選択部２１１は、出力指定ＳＮＣにより通話受信音声信号ＡＲＳの出力がされていない出力信号については、「０」レベル信号を出力するようになっている。【００３３】
上記の反転部２１２は、コンテンツ音源ユニット１１０からのコンテンツ音声信号ＡＣＳを受ける。そして、反転部２１２は、コンテンツ音声信号ＡＣＳの位相反転を行う。こうして反転部２１２によって位相反転された信号は、加算部２１３へ送られる。【００３４】
上記の加算部２１３は、出力選択部２１１からの第１出力信号と、反転部２１２からの信号とを受ける。そして、加算部２１３は、制御部１９５Ａからの加算制御指令ＡＤＣにより加算指定が行われている場合には、受信した両信号を加算し、加算結果を信号ＡＢＳとして超音波信号生成部２１４へ送る。一方、加算部２１３は、制御部１９５Ａからの加算制御指令ＡＤＣによりミュート指定がなされた場合には、「０」レベル信号を信号ＡＢＳとして超音波信号生成部２１４へ送る。【００３５】
上記の超音波信号生成部２１４は、加算部２１３からの信号ＡＢＳを受ける。そして、超音波信号生成部２１４は、信号ＡＢＳに対応する超音波信号ＡＯＳを生成する。かかる機能を有する超音波信号生成部２１４は、図３に示されるように、高周波発生部２２１と、振幅変調部２２２と、パワー増幅部２２３とを備える。【００３６】
上記の高周波発生部２２１は、所定の超音波周波数の正弦波信号である超音波キャリア信号を発生し、振幅変調部２２２へ送る。なお、所定の超音波周波数は、パラメトリックスピーカユニット１４０から運転席に着座する運転者の耳の位置までの距離に基づいて、運転者の耳の位置で、加算部２１３からの信号ＡＢＳに対応する音声が再生されるように、予め定められている。【００３７】
上記の振幅変調部２２２は、加算部２１３からの信号ＡＢＳと、高周波発生部２２１からの超音波キャリア信号を受ける。この振幅変調部２２２は、超音波キャリア信号を信号ＡＢＳにより振幅変調する。そして、変調結果は、パワー増幅部２２３へ送られる。【００３８】
上記のパワー増幅部２２３は、パワー増幅器を備えて構成される。このパワー増幅部２２３は、振幅変調部２２２からの変調信号を受ける。そして、パワー増幅部２２３は、当該変調信号を増幅し、パラメトリックスピーカユニット１４０における超音波トランスデューサを駆動するための超音波信号ＡＯＳを生成する。こうして生成された超音波信号ＡＯＳは、パラメトリックスピーカユニット１４０へ送られる。【００３９】
なお、加算部２１３からの信号ＡＢＳが「０」レベル信号である場合には、振幅変調部２２２により生成される変調信号は「０」レベル信号となる。この結果、超音波信号ＡＯＳも「０」レベル信号となり、パラメトリックスピーカユニット１４０からの超音波出力が行われなくなるようになっている。【００４０】
図２に戻り、上記の加算部２１６は、出力選択部２１１からの第２出力信号と、コンテンツ音源ユニット１１０からのコンテンツ音声信号ＡＣＳとを受ける。そして、加算部２１６は、受信した両信号を加算する。加算部２１６による加算結果は、パワー増幅部２１７へ送られるとともに、信号ＡＰＦとして通話送信音声処理部１９２へ送られる。【００４１】
上記のパワー増幅部２１７は、パワー増幅器を備えて構成される。このパワー増幅部２１７は、加算部２１６からの加算結果信号を受ける。そして、パワー増幅部２１７は、受信した加算結果信号を増幅し、スピーカユニット１３０における広角スピーカを駆動するための音声信号ＡＯＦを生成する。こうして生成された音声信号ＡＯＦは、スピーカユニット１３０へ送られる。【００４２】
図１に戻り、上記の通話送信音声処理部１９２は、通話通信ユニット１２０に供給する通話送信音声信号ＡＴＳを生成する。かかる機能を有する通話送信音声処理部１９２は、図４に示されるように、反転部２３１と、減衰部２３２と、加算部２３３とを備えている。【００４３】
上記の反転部２３１は、スピーカ出力音声処理部１９１からの信号ＡＰＦを受ける。そして、反転部２３１は、信号ＡＰＦの位相反転を行う。こうして反転部２３１によって位相反転された信号は、減衰部２３２へ送られる。【００４４】
上記の減衰部２３２は、反転部２３１からの信号を受ける。そして、減衰部２３２は、制御部１９５Ａからの減衰率指定ＣＮＣによって指定された減衰率に従って、受信信号を減衰させる。減衰部２３２により生成された減衰信号は、加算部２３３へ送られる。【００４５】
なお、制御部１９５Ａが減衰率指定ＣＮＣによって指定する減衰率は、収音ユニット１５０が出力する収音音声信号ＡＡＳからのスピーカユニット１３０によって再生出力された音声の成分の除去の観点から、音量調整部１１５の設定状態に対応した事前計測、シミュレーション等によって予め定められる。【００４６】
上記の加算部２３３は、収音ユニット１５０からの収音音声信号ＡＡＳと、減衰部２３２からの減衰信号を受ける。そして、加算部２３３は、受信した両信号を加算する。加算部２３３による加算結果は、通話送信音声信号ＡＴＳとして、通話通信ユニット１２０へ送られる。【００４７】
図１に戻り、制御部１９５Ａは、音声信号処理装置１００Ａの動作を制御する。かかる制御部１９５Ａによる制御は、コンテンツ音源ユニット１１０に対する音量調整指令ＡＶＣの発行、通話通信ユニット１２０に対する通話制御指令ＣＭＣの発行、スピーカ出力音声処理部１９１に対する出力指定ＳＮＣ及び加算制御指令ＡＤＣの発行、並びに通信送信音声処理部１９２に対する減衰率指定ＣＮＣの発行により行われる。【００４８】
なお、減衰率指定ＣＮＣ、音量調整指令ＡＶＣ、通話制御指令ＣＭＣ、出力指定ＳＮＣ及び加算制御指令ＡＤＣの発行は、制御部１９５Ａによる初期設定時に行われるとともに、操作入力ユニット１７０からの操作入力データＩＰＤ及び通話通信ユニット１２０からの動作報告ＯＭＤに基づいて、制御部１９５Ａにより、適宜行われる。こうした制御部１９５Ａによる制御動作の詳細については、後述する。【００４９】
＜動作＞
次に、上記のように構成された音声信号処理装置１００Ａの動作について、説明する。【００５０】
《通常動作設定時の動作》
音声信号処理装置１００Ａの電源がＯＮとされると、制御部１９５Ａは、通常動作設定を行う。この通常動作設定に際して、制御部１９５Ａは、コンテンツ音源ユニット１１０の音量調整部１１５へ、ミュート解除を指定した音量調整指令ＡＶＣを送る（図１参照）。【００５１】
また、制御部１９５Ａは、スピーカ出力音声処理部１９１の出力選択部２１１へ、通話通信ユニット１２０からの通話受信音声信号ＡＲＳを加算部２１３へ供給するべき旨の出力指定ＳＮＣを送る（図２参照）。この結果、出力選択部２１１から加算部２１６へは、「０」レベル信号が供給されることになる。【００５２】
また、制御部１９５Ａは、スピーカ出力音声処理部１９１の加算部２１３へ、ミュート指定がなされた加算制御指令ＡＤＣを送る（図１及び図２参照）。この結果、パラメトリックスピーカユニット１４０からの超音波出力が行われない状態となる。【００５３】
こうした通常動作設定が維持されている状態で、コンテンツ音源ユニット１１０からコンテンツ音声信号ＡＣＳが出力されると、加算部２１６による加算結果は、コンテンツ音声信号ＡＣＳそのものとなる。かかる加算部２１６による加算結果信号がパワー増幅部２１７によって増幅され、音声信号ＡＯＦとしてスピーカユニット１３０に供給される（図２参照）。この結果、コンテンツ音声信号ＡＣＳに対応する音声が、スピーカユニット１３０から再生出力される。【００５４】
《通話通信における単独通話時の動作》
操作入力ユニット１７０から通話先の装置の電話番号が指定された発呼要求を受けると、制御部１９５Ａは、電話番号を指定した発呼指令を、通話制御指令ＣＭＣとして、通話通信ユニット１２０へ送る。そして、発呼処理を開始した旨の動作報告ＯＭＤを検出することにより、制御部１９５Ａは、通話通信ユニット１２０が通話処理動作中となったことを検出する。また、着呼した旨の動作報告ＯＭＤを検出することにより、制御部１９５Ａは、通話通信ユニット１２０が通話処理動作中となったことを検出する（図１参照）。【００５５】
こうして通話通信ユニット１２０が通話処理動作中となったことが、通常動作設定時において検出されると、制御部１９５Ａは、加算部２１３へ、加算指定がなされた加算制御指令ＡＤＣを送る。この結果、反転部２１２によりコンテンツ音声信号ＡＣＳが位相反転された信号と、出力選択部２１１を介した通話受信音声信号ＡＲＳとの加算結果が、信号ＡＢＳとして、加算部２１３から超音波信号生成部２１４へ送られる（図２参照）。【００５６】
信号ＡＢＳを受けた超音波信号生成部２１４は、信号ＡＢＳに基づいて、超音波信号ＡＯＳを生成し、パラメトリックスピーカユニット１４０へ送る（図２参照）。そして、パラメトリックスピーカユニット１４０は、超音波信号ＡＯＳに基づいて、超音波を、単独通話者である運転者に向けて出力する。【００５７】
この結果、通話者の耳には、スピーカユニット１３０による再生音声と、パラメトリックスピーカユニット１４０による再生音声とが到達することになる。ここで、パラメトリックスピーカユニット１４０による再生音声には、スピーカユニット１３０による再生音声を位相反転した音声成分が含まれているので、スピーカユニット１３０からコンテンツ音声信号ＡＣＳに基づくコンテンツ音声が再生出力されている場合であっても、運転者の耳元では、コンテンツ音声は、当該音声成分により有効にキャンセルされる。この結果、通話受信音声信号ＡＲＳに基づく通話受信音声が、明瞭な態様で運転者により聴取されることになる。【００５８】
なお、運転者以外の搭乗者に対しては、スピーカユニット１３０による再生音声のみが可聴な状態が維持される。この結果、スピーカユニット１３０からコンテンツ音声信号ＡＣＳに基づくコンテンツ音声が再生出力されている場合には、運転者以外の搭乗者は、通話受信音声に邪魔されることなく、コンテンツ音声を継続して聴取することができる。【００５９】
一方、通話通信ユニット１２０が通話処理動作中に運転者が発声すると、発生音が、スピーカユニット１３０による再生音声とともに、収音ユニット１５０により収音される。そして、収音ユニット１５０による収音結果が、収音音声信号ＡＡＳとして、処理ユニット１９０Ａへ送られる（図１参照）。【００６０】
引き続き、収音音声信号ＡＡＳは、通話送信音声処理部１９２における加算部２３３により、スピーカ出力音声処理部１９１からの信号ＡＰＦが、反転部２３１により位相反転された後に、減衰部２３２により減衰された信号と加算される（図４参照）。この結果、加算部２３３による加算結果は、収音音声信号ＡＡＳからスピーカユニット１３０による再生音声の成分が有効に除去されたものとなっている。すなわち、加算部２３３による加算結果は、運転者による発生音が、主要な音声成分となっている。【００６１】
こうして得られた加算部２３３による加算結果が、通話送信音声信号ＡＴＳとして、通話通信処理ユニット１２０へ送られる（図４参照）。この結果、運転者による発生音が、明瞭な態様で通話先の装置へ向けて送信される。【００６２】
こうした通話通信における単独通話動作中に、運転者が、操作入力ユニット１７０を利用して、通信切断要求を行うと、制御部１９５Ａは、通信切断指令を、通話制御指令ＣＭＣとして通話通信ユニット１２０へ送る。引き続き、制御部１９５Ａは、上述した通常動作設定を行う。この結果、搭乗者全員が、スピーカユニット１３０による再生音声を聴取できる状態となる。このため、スピーカユニット１３０からコンテンツ音声信号ＡＣＳに基づくコンテンツ音声が再生出力されている場合には、搭乗者全員が、コンテンツ音声を聴取することができる状態に復帰する。【００６３】
《通話通信における複数通話時の動作》
上記の単独通話の動作中に、運転者が、操作入力ユニット１７０を利用して、複数通話指定を行うと、制御部１９５Ａは、コンテンツ音源ユニット１１０の音量調整部１１５へ、ミュート設定を指定した音量調整指令ＡＶＣを送る（図１及び図２参照）。この結果、コンテンツ音声信号ＡＣＳは、「０」レベル信号となる。【００６４】
また、制御部１９５Ａは、スピーカ出力音声処理部１９１の出力選択部２１１へ、通話通信ユニット１２０からの通話受信音声信号ＡＲＳを加算部２１６へ供給するべき旨の出力指定ＳＮＣを送る（図２参照）。この結果、出力選択部２１１から加算部２１３へは、「０」レベル信号が供給されることになる。【００６５】
また、制御部１９５Ａは、スピーカ出力音声処理部１９１の加算部２１３へ、ミュート指定がなされた加算制御指令ＡＤＣを送る（図１参照）。この結果、パラメトリックスピーカユニット１４０からの超音波出力が行われない状態となる。【００６６】
以上の複数通話者設定が行われると、加算部２１６による加算結果は、通話受信音声信号ＡＲＳそのものとなる。かかる加算部２１６による加算結果信号がパワー増幅部２１７によって増幅され、音声信号ＡＯＦとしてスピーカユニット１３０に供給される（図２参照）。この結果、通話受信音声信号ＡＲＳに対応する音声が、スピーカユニット１３０から再生出力され、通話相手の発声音を、搭乗者全員で聴取できるようになる。【００６７】
こうした通話通信における複数通話動作中に、運転者が、操作入力ユニット１７０を利用して、通信切断要求を行うと、上述した単独通話動作中の場合と同様に、制御部１９５Ａは、通信切断指令を、通話制御指令ＣＭＣとして通話通信ユニット１２０へ送り、さらに、通常動作設定を行う。【００６８】
また、複数通話動作中に、運転者が、操作入力ユニット１７０を利用して、単独通話指定を行うと、制御部１９５Ａは、上述した通常動作から単独通話動作への切換時の場合と同様の設定を行う。【００６９】
なお、通話送信音声信号ＡＴＳの生成は、上述した単独通話動作中の場合と同様に行われる。【００７０】
以上説明したように、本第１実施形態によれば、通話通信ユニット１２０の通話通信動作を行っていない状態では、コンテンツ音源ユニット１１０からのコンテンツ音声信号ＡＣＳに基づく音声が、車室内の搭乗者全員を対象として、スピーカユニット１３０から再生出力される通常設定が行われる。こうした通常設定がなされている状態で、通話通信ユニット１２０の通話通信動作が開始されると、コンテンツ音声信号ＡＣＳが位相反転された信号と、通話通信ユニット１２０からの通話受信音声信号ＡＲＳとの加算結果に基づいた超音波が、パラメットリックスピーカユニット１４０から出力される単独通話者設定が行われる。【００７１】
この結果、運転席に着座している運転者（単独通話者）の耳には、スピーカユニット１３０による再生音声と、パラメトリックスピーカユニット１４０による再生音声とが到達することになるが、スピーカユニット１３０からコンテンツ音声信号ＡＣＳに基づくコンテンツ音声が再生出力されている場合であっても、運転者の耳元では、コンテンツ音声は、当該音声成分により有効にキャンセルされる。したがって、通話受信音声信号ＡＲＳに基づく通話受信音声が、明瞭な態様で運転者により聴取されることになる。一方、運転者以外の搭乗者に対しては、スピーカユニット１３０による再生音声のみが可聴な状態が維持され、スピーカユニット１３０からコンテンツ音声信号ＡＣＳに基づくコンテンツ音声が再生出力されている場合には、運転者以外の搭乗者は、通話受信音声に邪魔されることなく、コンテンツ音声を継続して聴取することができる。【００７２】
したがって、本第１実施形態によれば、車室内に滞在する者のそれぞれにとって適切な音声を提供することができる。【００７３】
また、本第１実施形態では、通話通信ユニット１２０の通話通信中に、搭乗者全員への通話受信音声の提供が指定されると、パラメトリックスピーカユニット１４０からの超音波出力が中止され、コンテンツ音源ユニット１１０からのコンテンツ音声信号ＡＣＳが「０」レベル信号とされるとともに、通話受信音声信号ＡＲＳに基づく音声が、スピーカユニット１３０から再生出力される複数通話者設定が行われる。この結果、通話受信音声信号ＡＲＳに基づく音声が、搭乗者全員に明瞭な態様で提供される。したがって、運転者の選択により、通話受信音声を、運転者のみに提供したり、搭乗者全員に提供したりすることができる。【００７４】
また、本第１実施形態では、通常設定時及び複数通話者設定時には、パラメットリックスピーカユニット１４０からの超音波出力を中止するので、不要な電力消費を防止することができる。【００７５】
［第２実施形態］
次に、本発明の第２実施形態を、図５を主に参照して説明する。【００７６】
＜構成＞
図５には、本発明の第２実施形態の音声信号処理装置１００Ｂの構成が概略的に示されている。この図５に示されるように、音声信号処理装置１００Ｂは、上述した第１実施形態の音声信号処理装置１００Ａと比べて、通話通信ユニット１２０及び収音ユニット１５０を備えていない点、並びに、上述した処理ユニット１９０Ａに代えて、処理ユニット１９０Ｂを備える点が異なっている。ここで、処理ユニット１９０Ｂは、処理ユニット１９０Ａと比べて、通話送信音声処理部１９２を備えていない点、及び、上述した制御部１９５Ａに代えて、制御部１９５Ｂを備える点が異なっている。そして、音声信号処理装置１００Ｂの外部に設置された第２の信号源であるナビゲーション手段としてのナビゲーション装置９００から、ガイド音声信号ＡＧＳが、上述した通話受信音声信号ＡＲＳに代えて、処理ユニット１９０Ｂにおけるスピーカ出力音声処理部１９１に供給されるようになっている。【００７７】
以下、これらの相違点に主に着目して説明する。【００７８】
上記の制御部１９５Ｂは、音声信号処理装置１００Ｂの動作を制御する。この制御部１９５Ｂは、ガイド音声信号ＡＧＳの信号レベルを検出することにより、ナビゲーション装置９００がガイド音声信号ＡＧＳの発生動作中であるか否かを検出するようになっている。【００７９】
ここで、制御部１９５Ｂは、ガイド音声信号ＡＧＳの信号レベルが所定値以上である場合には、ガイド音声信号ＡＧＳの発生動作中であると判断するようになっている。また、制御部１９５Ｂは、ガイド音声信号ＡＧＳの信号レベルが当該所定値未満の状態が所定時間継続した場合に、ガイド音声信号ＡＧＳの発生動作が終了したと判断するようになっている。【００８０】
なお、上記の所定値及び所定時間は、実験、シミュレーション、経験等に基づいて、予め定められる。【００８１】
制御部１９５Ｂによる制御は、スピーカ出力音声処理部１９１に対する出力指定ＳＮＣ及び加算制御指令ＡＤＣの発行により行われる。こうした出力指定ＳＮＣ及び加算制御指令ＡＤＣの発行は、ナビゲーション装置９００がガイド音声信号ＡＧＳの発生動作中であるか否かの検出結果に基づいて、制御部１９５Ｂにより、適宜行われる。こうした制御部１９５Ｂによる制御動作の詳細については、後述する。【００８２】
＜動作＞
次に、上記のように構成された音声信号処理装置１００Ｂの動作について、説明する。【００８３】
《通常動作設定時の動作》
音声信号処理装置１００Ｂの電源がＯＮとされると、制御部１９５Ｂは、通常動作設定を行う。この通常動作設定に際して、制御部１９５Ｂは、スピーカ出力音声処理部１９１の出力選択部２１１へ、ナビゲーション装置９００からのガイド音声信号ＡＧＳを加算部２１３へ供給するべき旨の出力指定ＳＮＣを送る。また、制御部１９５Ｂは、スピーカ出力音声処理部１９１の加算部２１３へ、ミュート指定がなされた加算制御指令ＡＤＣを送る（図５及び図２参照）。【００８４】
こうした通常動作設定が維持されている状態では、第１実施形態において通常動作設定が行われている場合と同様に、コンテンツ音源ユニット１１０からコンテンツ音声信号ＡＣＳが出力されると、スピーカ出力音声処理部１９１の加算部２１６による加算結果は、コンテンツ音声信号ＡＣＳそのものとなる。かかる加算部２１６による加算結果信号がパワー増幅部２１７によって増幅され、音声信号ＡＯＦとしてスピーカユニット１３０に供給される（図２参照）。この結果、コンテンツ音声信号ＡＣＳに対応する音声が、スピーカユニット１３０から再生出力される。【００８５】
《ガイド音声の単独聴取時の動作》
ガイド音声信号ＡＧＳの信号レベルの検出結果に基づいて、ガイド音声信号ＡＧＳの発生動作中であることが、通常動作設定中において検出されると、制御部１９５Ｂは、加算部２１３へ、加算指定がなされた加算制御指令ＡＤＣを送る。この結果、反転部２１２によりコンテンツ音声信号ＡＣＳが位相反転された信号と、出力選択部２１１を介したガイド音声信号ＡＧＳとの加算結果が、信号ＡＢＳとして、加算部２１３から超音波信号生成部２１４へ送られる（図５及び図２参照）。【００８６】
信号ＡＢＳを受けた超音波信号生成部２１４は、信号ＡＢＳに基づいて、超音波信号ＡＯＳを生成し、パラメトリックスピーカユニット１４０へ送る（図２参照）。そして、パラメトリックスピーカユニット１４０は、超音波信号ＡＯＳに基づいて、超音波を、ガイド音声の単独聴取者である運転者に向けて出力する。【００８７】
この結果、通話者の耳には、スピーカユニット１３０による再生音声と、パラメトリックスピーカユニット１４０による再生音声とが到達することになる。ここで、パラメトリックスピーカユニット１４０による再生音声には、スピーカユニット１３０による再生音声を位相反転した音声成分が含まれているので、スピーカユニット１３０からコンテンツ音声信号ＡＣＳに基づくコンテンツ音声が再生出力されている場合であっても、運転者の耳元では、コンテンツ音声は、当該音声成分により有効にキャンセルされる。この結果、ガイド音声信号ＡＧＳに基づくガイド音声が、明瞭な態様で運転者により聴取されることになる。【００８８】
なお、第１実施形態における単独通話動作の場合と同様に、運転者以外の搭乗者に対しては、スピーカユニット１３０による再生音声のみが可聴な状態が維持される。この結果、スピーカユニット１３０からコンテンツ音声信号ＡＣＳに基づくコンテンツ音声が再生出力されている場合には、運転者以外の搭乗者は、通話受信音声に邪魔されることなく、コンテンツ音声を継続して聴取することができる。【００８９】
こうしたガイド音声の単独聴取動作中に、ガイド音声信号ＡＧＳの発生動作が終了したことが検出されると、制御部１９５Ｂは、上述した通常動作設定を行う。この結果、搭乗者全員が、スピーカユニット１３０による再生音声を聴取できる状態となる。【００９０】
《ガイド音声の複数聴取時の動作》
上記のガイド音声の複数聴取時の動作中に、運転者が、操作入力ユニット１７０を利用して、ガイド音声の複数聴取指定を行うと、制御部１９５Ｂは、コンテンツ音源ユニット１１０の音量調整部１１５へ、ミュート設定を指定した音量調整指令ＡＶＣを送る（図５参照）。この結果、コンテンツ音声信号ＡＣＳは、「０」レベル信号となる。【００９１】
また、制御部１９５Ｂは、スピーカ出力音声処理部１９１の出力選択部２１１へ、ナビゲーション装置９００からのガイド音声信号ＡＧＳを加算部２１６へ供給するべき旨の出力指定ＳＮＣを送る（図２参照）。この結果、出力選択部２１１から加算部２１３へは、「０」レベル信号が供給されることになる。【００９２】
また、制御部１９５Ｂは、スピーカ出力音声処理部１９１の加算部２１３へ、ミュート指定がなされた加算制御指令ＡＤＣを送る（図５及び図２参照）。この結果、パラメトリックスピーカユニット１４０からの超音波出力が行われない状態となる。【００９３】
以上の複数聴取設定が行われると、加算部２１６による加算結果は、ガイド音声信号ＡＧＳそのものとなる。かかる加算部２１６による加算結果信号がパワー増幅部２１７によって増幅され、音声信号ＡＯＦとしてスピーカユニット１３０に供給される（図２参照）。この結果、ガイド音声信号ＡＧＳに対応する音声が、スピーカユニット１３０から再生出力され、ガイド音声を、搭乗者全員で聴取できるようになる。【００９４】
こうしたガイド音声の複数聴取動作中に、ガイド音声信号ＡＧＳの発生動作が終了したことが検出されると、制御部１９５Ｂは、上述した通常動作設定を行う。この結果、搭乗者全員が、スピーカユニット１３０による再生音声を聴取できる状態となる。【００９５】
また、複数通話動作中に、運転者が、操作入力ユニット１７０を利用して、ガイド音声の単独聴取指定を行うと、制御部１９５Ｂは、上述した通常動作から単独聴取動作への切換時の場合と同様の設定を行う。【００９６】
以上説明したように、本第２実施形態によれば、ナビゲーション装置９００がガイド音声の発生動作を行っていない状態では、コンテンツ音源ユニット１１０からのコンテンツ音声信号ＡＣＳに基づく音声が、車室内の搭乗者全員を対象として、スピーカユニット１３０から再生出力される通常設定が行われる。こうした通常設定がなされている状態で、ガイド音声の発生動作が開始されると、コンテンツ音声信号ＡＣＳが位相反転された信号と、ナビゲーション装置９００からのガイド音声信号ＡＧＳとの加算結果に基づいた超音波が、パラメットリックスピーカユニット１４０から出力される単独聴取設定が行われる。【００９７】
この結果、運転席に着座している運転者（単独聴取者）の耳には、スピーカユニット１３０による再生音声と、パラメトリックスピーカユニット１４０による再生音声とが到達することになるが、スピーカユニット１３０からコンテンツ音声信号ＡＣＳに基づくコンテンツ音声が再生出力されている場合であっても、運転者の耳元では、コンテンツ音声は、当該音声成分により有効にキャンセルされる。したがって、ガイド音声信号ＡＧＳに基づくガイド音声が、明瞭な態様で運転者により聴取されることになる。一方、運転者以外の搭乗者に対しては、第１実施形態の場合と同様に、スピーカユニット１３０による再生音声のみが可聴な状態が維持され、スピーカユニット１３０からコンテンツ音声信号ＡＣＳに基づくコンテンツ音声が再生出力されている場合には、運転者以外の搭乗者は、通話受信音声に邪魔されることなく、コンテンツ音声を継続して聴取することができる。【００９８】
したがって、本第２実施形態によれば、上述した第１実施形態の場合と同様に、車室内に滞在する者のそれぞれにとって適切な音声を提供することができる。【００９９】
また、本第２実施形態では、ナビゲーション装置９００によるガイド音声の発生中に、搭乗者全員へのガイド音声の提供が指定されると、パラメトリックスピーカユニット１４０からの超音波出力が中止され、コンテンツ音源ユニット１１０からのコンテンツ音声信号ＡＣＳが「０」レベル信号とされるとともに、ガイド音声信号ＡＧＳに基づく音声が、スピーカユニット１３０から再生出力される複数聴取設定が行われる。この結果、ガイド音声信号ＡＧＳに基づく音声が、搭乗者全員に明瞭な態様で提供される。したがって、運転者の選択により、ガイド音声を、運転者のみに提供したり、搭乗者全員に提供したりすることができる。【０１００】
また、本第２実施形態では、通常設定時及び複数聴取設定時には、パラメットリックスピーカユニット１４０からの超音波出力を中止するので、不要な電力消費を防止することができる。【０１０１】
［実施形態の変形］
本発明は、上記の実施形態に限定されるものではなく、様々な変形が可能である。【０１０２】
例えば、上記の第１実施形態では、通話通信ユニット１２０を、携帯電話モジュールとして構成したが、自動車電話モジュール等の他の通話通信モジュールとして構成することもできる。【０１０３】
また、上記の第２実施形態では、コンテンツ音声信号ＡＣＳと並行して発生し得る音声信号のみの供給を行う信号源を、外部に設置されたナビゲーション装置９００としたが、ナビゲーション装置９００の信号源とすることもできる。また、かかる信号源は、音声信号処理装置の内部に設置されるようにしてもよい。【０１０４】
また、上記の第１及び第２実施形態では、強指向性のスピーカとしてパラメトリックスピーカを採用したが、他の種類の強指向性のスピーカを採用することもできる。【０１０５】
また、上記の第１及び第２実施形態では、搭乗者全員によるコンテンツ音声とは異なる音声を搭乗者全員で聴取する場合には、スピーカユニット１３０のみからコンテンツ音声とは異なる音声を出力するようにした。これに対し、搭乗者全員によるコンテンツ音声とは異なる音声を搭乗者全員で聴取する場合にも、運転者に対しては、パラメトリックスピーカユニット１４０を利用して当該音声を提供するとともに、運転者以外に対しては、スピーカユニット１３０から当該音声を提供するようにすることもできる。この場合には、上述した第１及び第２実施形態のようにコンテンツ音源ユニット１１０に対してミュート設定を行うのではなく、コンテンツ音声信号ＡＣＳの信号レベルを、予め定められた減衰率で減衰させるようにすることもできる。【０１０６】
また、上記の第１及び第２実施形態では、車両に搭載される音声信号処理装置に対して本発明を適用したが、車両以外の移動体に搭載される音声信号処理装置に対して本発明を適用することもできる。さらに、家屋内等に固定的に設置される音声信号処理装置に対して本発明を適用することもできる。
【図１】
2010109614.tif 000003
【図２】
2010109614.tif 000004
【図３】
2010109614.tif 000005
【図４】
2010109614.tif 000006
【図５】
2010109614.tif 000007
【手続補正書】
【提出日】平成23年1月25日(2011.1.25)
【手続補正１】
【補正対象書類名】特許請求の範囲
【補正対象項目名】全文
【補正方法】変更
【補正の内容】
【特許請求の範囲】
【請求項１】
複数の聴取者を対象とする第１のスピーカと；
前記複数の聴取者の中の特定の聴取者を対象とするパラメトリックスピーカである第２のスピーカと；
前記第１のスピーカへ向けて音声信号を出力する第１の信号源と；
前記第１の信号源からの音声信号を位相反転した信号と、前記第１の信号源からの音声信号とは内容が異なる第２の信号源からの音声信号とを加算する第１の加算手段と；
前記第１の加算手段によって加算された音声信号から超音波信号を生成するとともに、前記生成された超音波信号を前記第２のスピーカへ向けて出力する超音波信号生成部と；
を備えることを特徴とする音声信号処理装置。
【請求項２】
前記第２の信号源からの音声信号を、前記第１の加算手段及び前記第１のスピーカのいずれかに向けて選択的に出力する選択手段と；
前記第１の信号源からの音声信号と、前記選択手段からの信号とを加算し、前記第１のスピーカへ向けて出力する第２の加算手段と；を更に備えるとともに、
前記第１の信号源は、音量調整手段を備え、
前記選択手段からの前記第２の信号源からの音声信号の出力先として、前記第２の加算手段が選択された場合に、前記音量調整手段が、前記第１の信号源からの音声信号の信号レベルを低減させる調整を行う、
ことを特徴とする請求項１に記載の音声信号処理装置。
【請求項３】
前記特定の聴取者は車両の運転者であり、
前記第２の信号源からの音声信号は通話通信手段からの音声信号である、
ことを特徴とする請求項１又は２に記載の音声信号処理装置。
【請求項４】
前記特定の聴取者は車両の運転者であり、
前記第２の信号源からの音声信号はナビゲーション手段からのガイド音声信号である、
ことを特徴とする請求項１又は２に記載の音声信号処理装置。
【請求項５】
前記第２の信号源における音声信号発生のための動作状態を検出する検出手段と；
前記第２の信号源が前記音声信号発生のための動作状態にはないと判断される場合に、前記パラメトリックスピーカからの出力信号レベルを制限する制御手段と；
を更に備えることを特徴とする請求項１〜４のいずれか一項に記載の音声信号処理装置。
【請求項６】
複数の聴取者を対象とする第１のスピーカと；前記複数の聴取者の中の特定の聴取者を対象とするパラメトリックスピーカである第２のスピーカと；前記第１のスピーカへ向けて音声信号を出力する第１の信号源と；を備える音声信号処理装置において使用される音声信号処理方法であって、
前記第１の信号源からの音声信号を位相反転する位相反転工程と；
前記位相反転された信号と、前記第１の信号源からの音声信号とは内容が異なる第２の信号源からの音声信号とを加算する加算工程と；
前記加算工程において加算された音声信号から超音波信号を生成するとともに、前記生成された超音波信号を前記第２のスピーカへ向けて出力する生成工程と；
を備えることを特徴とする音声信号処理方法。
【手続補正２】
【補正対象書類名】明細書
【補正対象項目名】００１２
【補正方法】変更
【補正の内容】
【００１２】
本発明は、第１の観点からすると、複数の聴取者を対象とする第１のスピーカと；前記複数の聴取者の中の特定の聴取者を対象とするパラメトリックスピーカである第２のスピーカと；前記第１のスピーカへ向けて音声信号を出力する第１の信号源と；前記第１の信号源からの音声信号を位相反転した信号と、前記第１の信号源からの音声信号とは内容が異なる第２の信号源からの音声信号とを加算する第１の加算手段と；前記第１の加算手段によって加算された音声信号から超音波信号を生成するとともに、前記生成された超音波信号を前記第２のスピーカへ向けて出力する超音波信号生成部と；を備えることを特徴とする音声信号処理装置である。
【手続補正３】
【補正対象書類名】明細書
【補正対象項目名】００１３
【補正方法】変更
【補正の内容】
【００１３】
本発明は、第２の観点からすると、複数の聴取者を対象とする第１のスピーカと；前記複数の聴取者の中の特定の聴取者を対象とするパラメトリックスピーカである第２のスピーカと；前記第１のスピーカへ向けて音声信号を出力する第１の信号源と；を備える音声信号処理装置において使用される音声信号処理方法であって、前記第１の信号源からの音声信号を位相反転する位相反転工程と；前記位相反転された信号と、前記第１の信号源からの音声信号とは内容が異なる第２の信号源からの音声信号とを加算する加算工程と；前記加算工程において加算された音声信号から超音波信号を生成するとともに、前記生成された超音波信号を前記第２のスピーカへ向けて出力する生成工程と；を備えることを特徴とする音声信号処理方法である。
【手続補正４】
【補正対象書類名】明細書
【補正対象項目名】００３１
【補正方法】変更
【補正の内容】
【００３１】
上記のスピーカ出力音声処理部１９１は、スピーカユニット１３０に供給される音声信号ＡＯＦ及びパラメトリックスピーカユニット１４０に供給される超音波信号ＡＯＳを生成する。かかる機能を有するスピーカ出力音声処理部１９１は、図２に示されるように、選択手段としての出力選択部２１１と、第１の加算手段の一部としての反転部２１２と、第１の加算手段の一部及び制御手段としての加算部２１３と、超音波信号生成部２１４とを備えている。また、スピーカ出力音声処理部１９１は、第２の加算手段としての加算部２１６と、パワー増幅部２１７とを備えている。
【国際調査報告】
2010109614.tif 000008
2010109614.tif 000009
2010109614.tif 000010
2010109614.tif 000011